(57)【特許請求の範囲】
【請求項１】
イヤホンまたはヘッドホンなどの出力部を有した音声入出力装置を用いて着信音及び通信音または音楽などの音声情報を入出力する本体を備えた移動体電話機において、
前記音声入出力装置は、前記本体にコードを介して接続され、音声情報の入出力を操作する操作ボタンを備えたコントロール部と、このコントロール部に前記本体から送出される音楽再生時の曲番、曲名などの音楽情報、及び電話機能の動作情報を表示する表示部とを有し、
前記本体は、名前、電話番号などの情報を予め記録可能な記録手段と、着信時に発信者の電話番号を検出する電話番号検出手段と、音楽情報を再生するオーディオ部とを備え、前記電話番号検出手段及び記録手段の情報を着信時に比較して一致した場合、前記表示部に発信者情報として前記記録手段の名前、電話番号などの情報を送信して表示するように設け、
前記表示部に表示する名前、電話番号に対する着信拒否が前記記録手段に予め設定され、前記出力部で音楽の再生時で前記コントロール部の表示部で曲番、曲名などの音楽情報を表示中に、前記着信拒否の出たくない相手から着信があった場合は、前記出力部に着信音を鳴らさず音楽を出力した状態で前記コントロール部の表示部に着信拒否の表示を行い、前記着信拒否の相手以外から着信があった場合は、前記出力部の音楽情報を着信音に切り換えて出力するとともに前記コントロール部の表示部に発信者情報を表示して通話または前記コントロール部の操作ボタンによる切断を選択的に実行する、ことにより音楽の再生に伴うオーディオ機能と、着信及び通信などの電話機能とを同時に処理できるように設け、且つ、前記表示部が前記着信拒否の着信状態を直観的に知らせるように表示することを特徴とする移動体電話機。
【請求項２】
請求項１に記載の移動体電話機において、
前記表示部は、前記着信拒否の着信状態を直観的に表示する場合、白黒反転表示、または表示面を少なくとも１つ以上の発光素子により点滅させて表示するいずれかにより表示状態を変えることを特徴とする移動体電話機。
【請求項３】
請求項２に記載の移動体電話機において、
前記表示部は、前記発光素子の点灯と非点灯、または点滅と非点滅のいずれかにより表示状態を変えることを特徴とする移動体電話機。
【請求項４】
請求項３に記載の移動体電話機において、
前記発光素子は、前記表示部に色を変えて複数配置することで、前記点灯と非点灯または点滅と非点滅に加えて色の変化により表示状態を変えることを特徴とする移動体電話機。
【請求項５】
請求項１に記載の移動体電話機において、
前記表示部は、前記音楽情報と動作情報とを同時に表示できるように形成したことを特徴とする移動体電話機。
【請求項６】
移動体電話機の本体に接続されてコードを通じて使用者の耳に前記本体からの着信及び通信音または音楽などの音声情報を送出する移動体電話機に用いる音声入出力装置において、
前記移動体電話機の本体に接続するプラグと、
前記プラグにコードを介して接続され、前記本体の通信時に音声を収音する送話用のマイクを有し、前記音声情報の出力を操作する操作ボタンを備えたリモコン操作部と、
前記リモコン操作部から更なるコードにより接続されて使用者の耳に装着して前記音声情報を送出する出力部とを備え、
前記リモコン操作部に前記本体の音楽再生時に曲番、曲名などの音楽情報、及び電話機能の動作情報を表示する表示部を設け、
前記本体は、名前、電話番号などの情報を予め記録可能な記録手段と、着信時に発信者の電話番号を検出する電話番号検出手段と、音楽情報を再生するオーディオ部とを備え、前記電話番号検出手段及び記録手段の情報を着信時に比較して一致した場合、前記表示部に発信者情報として前記記録手段の名前、電話番号などの情報を送信して表示するように設け、
前記表示部に表示する名前、電話番号に対する着信拒否が前記記録手段に予め設定され、前記出力部で音楽の再生時で前記リモコン操作部の表示部で曲番、曲名などの音楽情報を表示中に、前記着信拒否の出たくない相手から着信があった場合は、前記出力部に着信音を鳴らさず音楽を出力した状態で前記リモコン操作部の表示部に着信拒否の表示を行い、前記着信拒否の相手以外から着信があった場合は、前記出力部の音楽情報を着信音に切り換えて出力するとともに前記リモコン操作部の表示部に発信者情報を表示して通話または前記リモコン操作部の操作ボタンによる切断を選択的に実行する、ことにより音楽の再生に伴うオーディオ機能と、着信及び通信などの電話機能とを同時に処理できるように設け、且つ、前記表示部が前記着信拒否の着信状態を直観的に知らせるように表示することを特徴とする移動体電話機に用いる音声入出力装置。
【請求項７】
請求項６に記載の音声入出力装置において、
前記出力部は、ヘッドホンまたはイヤホンいずれかの形状を備えていることを特徴とする移動体電話機に用いる音声入出力装置。
【発明の詳細な説明】
【０００１】
【発明の属する技術分野】
本発明は、移動体電話機及びそれに用いる音声入出力装置に係り、より詳細にはイヤホンまたはヘッドホンなどの出力部を有した音声入出力装置を用いて着信音及び通信音または音楽などの音声情報を入出力する本体を備えた移動体電話機及びそれに用いる音声入出力装置に関する。
【０００２】
【従来の技術】
従来、例えば、携帯電話機、ＰＨＳ電話機などの移動体電話機は、着信音により周囲に迷惑を与えることなく通信できるように、ヘッドホンマイクまたはイヤホンマイクなどの音声入出力装置を用いて通話できるように形成している。また、従来の移動体電話機は、近年、メモリカードなどの記録媒体を用いて通信回線を介して音楽などの音声情報を記録できるように形成しており、前述した音声入出力装置のヘッドホンやイヤホンなどの出力部により音楽情報を聞けるように形成している。このような従来の移動体電話機は、音楽情報の再生中に着信があった場合、音声入出力装置により本体からヘッドホンやイヤホンなどの出力部を介して着信音を鳴らして使用者に着信状態を知らせるとともに、送話用のマイクを備えてハンズフリーで通話できるように形成している。図９は、このような従来の移動体電話機及びそれに用いる音声入出力装置を示す構成図である。また、図１０は、図９に示した音声入出力装置４０により通話している状態を示す図である。また、図１１は、図９に示した音声入出力装置４０を用いた際に着信情報を確認する状態を示す図である。また、図１２は、図９に示した移動体電話機に着信拒否の相手から着信があった場合の状態を示す図である。
【０００３】
図９に示すように、従来の移動体電話機は、電話機の外装を形成する本体３０を設け、この本体３０に移動体電話機の所定機能を操作する操作ボタン３１と、本体３０内の動作状態を表示する表示部３２と、通信（通話）時に音声を入出力するマイク３４及びスピーカ３３とを備えている。この本体３０内には、音楽情報を再生するためのオーディオ部（図示せず）を備えており、このオーディオ部にメモリカードなどの記録媒体（図示せず）を接続して通信回線を介して音楽などの音声情報を記録できるように形成している。この記録媒体は、本体３０に着脱可能に設けられ、本体３０に装着した際に内部のオーディオ部に接続するように形成されている。また、本体３０は、所定の通信相手の名前、電話番号などの発信者情報を予め記録可能な記録手段（図示せず）を備え、着信時に検出した発信者の電話番号に対する発信者情報を記録手段から表示部３２に送信して表示できるように形成している。また、本体３０には、図９に示したように、コードを通じて側面に接続されて使用者の耳に着信音及び通信音または音楽などの音声情報を送出する音声入出力装置４０が装着できるように形成している。
【０００４】
この従来の移動体電話機に用いる音声入出力装置４０は、図９に示した移動体電話機の本体３０に接続するプラグ４２と、このプラグ４２にコード４１ａにより接続されて本体３０の通信時に音声を収音する送話用のマイク４４ｃを有して音声情報の出力を操作する操作ボタン４４ａを備えたコントロール部４４と、このコントロール部４４から更なるコード４１ｂにより接続されて使用者の耳に装着して音声情報を送出するヘッドホン状の出力部４６とを備えている。
【０００５】
ここで、プラグ４２は、本体３０の外側面に形成したジャック部（図示せず）に接続し、本体３０内に収納した記録媒体からの音楽または着信音及び通信音などの音声情報を出力部４６に送出できるように形成している。このプラグ４２は、本体３０のジャック部に差し込むと、本体３０のマイク３４による送話用音声の収音がコントロール部４４のマイク４４ｃに切り替わるとともに、スピーカ３３による音声の出力が出力部４６に切り替わるように形成されている。また、プラグ４２は、コード４１ａを介してコントロール部４４に接続されている。
【０００６】
このコントロール部４４は、プラグ４２と出力部４６との間に介在して音声情報の送受信を操作する操作ボタン４４ａと、液晶からなる表示部４４ｂと、通信時の音声を収音する送話用のマイク４４ｃとを備えている。ここで、操作ボタン４４ａは、プラグ４２をジャック部に差し込むことで、コード４１ａを介して本体３０の所定の機能を操作できるように形成している。また、表示部４４ｂは、プラグ４２を本体３０のジャック部に差し込むことで、本体３０の記録媒体から送信する音楽情報の曲名（タイトル）、曲番などを表示できるように形成している。このコントロール部４４には、コード４１ｂを介して出力部４６が接続されている。
出力部４６は、ヘッドホン形状を有しており、使用者の頭部に装着してコントロール部４４の操作ボタン４４ａを操作することにより本体３０から送信された音声情報などを使用者の耳元に出力するように形成されている。
【０００７】
このような構成からなる従来の移動体電話機及びそれに用いる音声入出力装置を使用する場合、まず、図１０に示すように、出力部４６を使用者の頭部に装着し、コントロール部４４のマイク４４ｃを使用者の口元近傍に配置するとともに、移動体電話機の本体３０をカバンまたはポケットなど（図１０では、カバン）に収納する。そして、本体３０は、コントロール部４４の操作ボタン４４ａ（図９参照）を操作することにより、例えば、記録媒体に記録した音楽情報が再生されて出力部４６から使用者の耳に直接出力される。また、本体３０は、音楽情報の再生時または待受け時に着信があった場合、使用者がコントロール部４４の操作ボタン４４ａを操作することで、図１０に示したように出力部４６とマイク４４ｃとにより通話が可能になる。
【０００８】
このように従来の移動体電話機及びそれに用いる音声入出力装置は、図９に示したように移動体電話機の本体３０に音声入出力装置４０を接続してコントロール部４４の操作ボタン４４ａにより所定の機能を操作できるため、音楽情報を聞いている最中でも着信時に受信して相手方と自由に通話することができるとともに、通話中はコントロール部４４のマイク４４ｃを口元に近づけて小声で話すことで周囲に迷惑を与えることなく通話することが可能になる。
【０００９】
【発明が解決しようとする課題】
しかしながら、従来の移動体電話機用音声装置及びそれに用いる音声入出力装置では、着信時に発信者の情報（例えば、名前、電話番号等）が本体３０の表示部３２に表示されるため、発信者の情報を確認する場合、図１１に示したように、本体３０をカバンやポケット内からわざわざ取り出す必要があり、結果的に通話時にそのまま片手に移動体電話機の本体３０を持ちっぱなしになることが多く、ハンズフリーとしての機能が十分に活用されてないという不具合があった。
また、従来の移動体電話機及びそれに用いる音声入出力装置では、通常、本体３０の記録手段（図示せず）に予め記録する発信者情報には着信拒否または会社、友人などの識別設定が可能であり、この着信拒否の識別設定を行った相手から着信があった場合、本体３０から出力部４６に着信音を鳴らして、図１２に示すように本体３０の表示部３２に所定のマークＢを表示して着信ランプ３０ａを点滅させるが、図１０に示したように本体３０をカバンに収納した状態では使用者が本体３０を確認せず操作ボタン４４ａにより通話状態にしてしまう可能性があり出たくない相手と通話するはめに陥るという不具合があった。
さらに、従来の移動体電話機及びそれに用いる音声入出力装置では、音楽の再生中に着信拒否の相手から着信があった場合、前述した本体３０をカバンに収納した状態では図１２に示したマークＢの表示及び着信ランプ３０ａの点滅を使用者が確認できないとともに、この移動体電話機の本体３０（例えば、通信方式がＰＤＣ方式、ＣＤＭＡ方式等の本体）では出力部４６に着信音を鳴らすために出力部４６での音楽情報の再生を中断する必要があり、使用者が音楽を聴音している最中に再生が中断するため、使用者に不快感を与えるという不具合があった。
本発明はこのような課題を解決し、着信時に本体を取り出すことなく発信者の情報を確認して選択的に通話できる移動体電話機及びそれに用いる音声入出力装置を提供することを目的とする。
【００１０】
【課題を解決するための手段】
本発明は上述の課題を解決するために、イヤホンまたはヘッドホンなどの出力部を有した音声入出力装置を用いて着信音及び通信音または音楽などの音声情報を入出力する本体を備えた移動体電話機であって、音声入出力装置は、本体にコードを介して接続されて音声情報の入出力を操作する操作ボタンを備えたコントロール部とこのコントロール部に本体から送出される音楽再生時の曲番、曲名などの音楽情報、及び電話機能の動作情報を表示する表示部とを有し、本体は、名前、電話番号などの情報を予め記録可能な記録手段と着信時に発信者の電話番号を検出する電話番号検出手段と音楽情報を再生するオーディオ部とを備えて電話番号検出手段及び記録手段の情報を着信時に比較して一致した場合に表示部に発信者情報として記録手段の名前、電話番号などの情報を送信して表示するように設け、表示部に表示する名前、電話番号に対する着信拒否が記録手段に予め設定され、出力部で音楽の再生時でコントロール部の表示部で曲番、曲名などの音楽情報を表示中に、着信拒否の出たくない相手から着信があった場合は、出力部に着信音を鳴らさず音楽を出力した状態でコントロール部の表示部に着信拒否の表示を行い、着信拒否の相手以外から着信があった場合は、出力部の音楽情報を着信音に切り換えて出力するとともにコントロール部の表示部に発信者情報を表示して通話または前記コントロール部の操作ボタンによる切断を選択的に実行することにより音楽の再生に伴うオーディオ機能と着信及び通信などの電話機能とを同時に処理できるように設け、且つ、表示部が着信拒否の着信状態を直観的に知らせるように表示する。
【００１１】
ここで、表示部は、着信拒否の着信状態を直観的に表示する場合、白黒反転表示、または表示面を少なくとも１つ以上の発光素子により点滅させて表示するいずれかにより表示状態を変えることが好ましい。また、表示部は、発光素子の点灯と非点灯、または点滅と非点滅のいずれかにより表示状態を変えることが好ましい。また、発光素子は、表示部に色を変えて複数配置することで、点灯と非点灯または点滅と非点滅に加えて色の変化により表示状態を変えることが好ましい。また、表示部は、音楽情報と動作情報とを同時に表示できるように形成することが好ましい。
【００１２】
また、移動体電話機の本体に接続されてコードを通じて使用者の耳に本体からの着信及び通信音または音楽などの音声情報を送出する移動体電話機に用いる音声入出力装置は、移動体電話機の本体に接続するプラグと、プラグにコードを介して接続されて本体の通信時に音声を収音する送話用のマイクを有して音声情報の出力を操作する操作ボタンを備えたリモコン操作部と、このリモコン操作部から更なるコードにより接続されて使用者の耳に装着して音声情報を送出する出力部とを備え、リモコン操作部に本体の音楽再生時に曲番、曲名などの音楽情報及び電話機能の動作情報を表示する表示部を設け、本体は、名前、電話番号などの情報を予め記録可能な記録手段と着信時に発信者の電話番号を検出する電話番号検出手段と音楽情報を再生するオーディオ部とを備えて電話番号検出手段及び記録手段の情報を着信時に比較して一致した場合に表示部に発信者情報として記録手段の名前、電話番号などの情報を送信して表示するように設け、表示部に表示する名前、電話番号に対する着信拒否が記録手段に予め設定され、出力部で音楽の再生時でリモコン操作部の表示部で曲番、曲名などの音楽情報を表示中に、着信拒否の出たくない相手から着信があった場合は、出力部に着信音を鳴らさず音楽を出力した状態でリモコン操作部の表示部に着信拒否の表示を行い、着信拒否の相手以外から着信があった場合は、出力部の音楽情報を着信音に切り換えて出力するとともにリモコン操作部の表示部に発信者情報を表示して通話または前記リモコン操作部の操作ボタンによる切断を選択的に実行することにより音楽の再生に伴うオーディオ機能と着信及び通信などの電話機能とを同時に処理できるように設け、且つ、表示部が着信拒否の着信状態を直観的に知らせるように表示する。
ここで、出力部は、ヘッドホンまたはイヤホンいずれかの形状を備えていることが好ましい。
【００１３】
【発明の実施の形態】
次に、添付図面を参照して本発明による移動体電話機及びそれに用いる音声入出力装置の実施の形態を詳細に説明する。図１は、本発明による移動体電話機及びそれに用いる音声入出力装置の実施の形態を示す構成図である。また、図２は、図１に示した移動体電話機の本体１０及び音声入出力装置２０の内部構造を示すブロック図である。また、図３は、図１に示した表示部２４ｂにおける待受け時の表示状態を示す図であり、図３（ａ）は表示がない状態を、図３（ｂ）は日付と時刻を表示した状態を各々示している。また、図４は、図１に示した移動体電話機の本体１０及び音声入出力装置２０の動作を示すフロー図である。また、図５は、図１に示した表示部２４ｂにおける着信時の表示状態を示す図である。また、図６は、図５に示した表示部２４ｂに着信拒否した相手の着信時に発信者情報を表示した状態を示す図であり、図６（ａ）はマークＡ表示した状態を、図６（ｂ）は反転表示した状態を各々示している。また、図７は、図５及び６に示した表示部２４ｂに表示する発信者情報を使用者が確認している状態を示す図である。
【００１４】
図１に示すように、本発明による移動体電話機の実施の形態は、図９に示した従来技術と同様に、移動体電話機の外装を形成する本体１０を設け、この本体１０に移動体電話機の所定機能を操作する操作ボタン１１と、本体１０内の動作状態を表示する表示部１２と、通信（通話）時に音声を入出力するスピーカ１３及びマイク１４とを備えている。
【００１５】
ここで、本体１０内には、図２に示すように、移動体電話機の全体を制御するＣＰＵ１５を設け、このＣＰＵ１５に無線部１６と、前述した表示部１２及び操作ボタン１１とを接続している。また、本体１０内には、ＣＰＵ１５に接続されて音楽情報を再生するためのオーディオ部１８を備えており、このオーディオ部１８にメモリカードなどの記録媒体１８ａを接続して通信回線を介して音楽などの音声情報を記録できるように形成している。この記録媒体１８ａは、本体１０の外側から着脱できるように形成され、本体１０に装着した際にオーディオ部１８と接続するように設けられている。また、ＣＰＵ１５には、着信時に無線部１６から着信情報を受信して発信者の電話番号を検出する電話番号検出装置１７が接続されている。さらに、ＣＰＵ１５には、無線部１６により通信する相手の名前、電話番号などの発信者情報を予め記録する記録手段１９を接続している。従って、本体１０は、無線部１６が着信状態になった場合、ＣＰＵ１５の制御により電話番号検出手段１７が無線部１６の着信情報から電話番号情報を検出するとともに、この電話番号情報と記録手段１９に予め記録した発信者情報とを比較する。そして、本体１０内では、ＣＰＵ１５の制御により比較した電話番号情報と発信者情報とが一致した場合、記録手段１９の名前、電話番号などの発信者情報を表示部１２に表示する。ここで、記録手段１９は、表示部１２に表示する名前、電話番号などの発信者情報に対して着信拒否または会社、友人などの識別設定を行えるように設けている。
【００１６】
また、本発明による移動体電話機の実施の形態は、図９に示した従来技術とは異なり、表示部１２に表示する発信者情報を本体１０とコード２１ａを通じて接続した音声入出力装置２０の表示部２４ｂに表示できるように形成している。この本発明による移動体電話機に用いる音声入出力装置２０の実施の形態は、図１に示したように、移動体電話機の本体１０に接続するプラグ２２と、このプラグ２２にコード２１ａにより接続されて本体１０の通信時に音声を収音する送話用のマイク２４ｃを有して音声情報の出力を操作する操作ボタン２４ａを備えたコントロール部２４と、このコントロール部２４から更なるコード２１ｂにより接続されて使用者の耳に装着して音声情報を送出するヘッドホン状の出力部２６とを備えている。
【００１７】
ここで、プラグ２２は、本体１０の外側面に形成したジャック部（図示せず）に接続し、本体から音楽または着信音及び通信音などの音声情報を出力部２６に送出できるように形成している。このプラグ２２は、本体１０のジャック部に差し込むと、本体１０のマイク１４による送話用音声の収音がコントロール部２４のマイク２４ｃに切り替わるとともに、スピーカ１３による音声の出力が出力部２６に切り替わるように形成されている。また、プラグ２２は、コード２１ａを介してコントロール部２４に接続されている。
【００１８】
このコントロール部２４は、プラグ２２と出力部２６との間に介在して音声情報の送受信を操作する操作ボタン２４ａと、本体１０の動作状態を表示する表示部２４ｂと、通信時の音声を収音する送話用のマイク２４ｃとを備えている。ここで、操作ボタン２４ａは、プラグ２２をジャック部に差し込むことで、図２に示したようにコード２１ａを介して本体１０の所定の機能を操作できるように形成している。また、表示部２４ｂは、図１に示したプラグ２２を本体１０に接続すると、図２に示した本体１０内の記録媒体１８ａから音楽情報と同時に曲名（タイトル）、曲番などの情報を受信して表示するとともに、着信時に本体１０の表示部１２に表示する所定の情報（例えば、名前または電話番号等の発信者情報）を受信して表示できるように形成している。ここで、表示部２４ｂは、表示文字のドットを小さく、または表示画面を大きくするいずれかにより音楽情報と動作情報とを同時に表示できるように形成してもよい。また、プラグ２２を本体１０のジャック部に差し込んだ場合、本体１０の表示部１２及び操作ボタン１１と、コントロール部２４の表示部２４ｂ及び操作ボタン２４ａとが同時に両方動作するように設けてもよい。また、このコントロール部２４には、コード２１ｂを介して出力部２６を接続している。
【００１９】
この出力部２６は、図９に示した従来技術と同様に、ヘッドホン状に形成され、使用者の頭部に装着してコントロール部２４の操作ボタン２４ａにより操作することで本体１０から送信された音楽または着信および通信音などの音声情報を使用者の耳元に出力するように形成されている。
【００２０】
このような構成からなる本発明による移動体電話機及びそれに用いる音声入出力装置の実施の形態を使用する場合、まず、出力部２６を使用者の頭部に装着（図７参照）し、コントロール部２４のマイク２４ｃを使用者の口元近傍に配置するとともに、移動体電話機の本体１０を待受けの状態でカバンまたはポケット（図７では、カバン）などの中に収納する。この際、コントロール部２４の表示部２４ｂには、図３（ａ）に示すように表示がない状態、または図３（ｂ）に示すように日付及び時刻を表示した状態のいずれかを表示する。
【００２１】
そして、このような本体１０の待受け時に着信があった場合、図２及び図４に示すように、ステップＳ１の待受け状態からＣＰＵ１５がオーディオ部１８の動作状況を確認するステップＳ２を実行するとともに、無線部１６の着信情報（電話番号等）を確認するステップＳ３を実行する。その後、ＣＰＵ１５は、着信情報に基づいて電話番号検出部１７により電話番号を検出し、この電話番号と記録手段１９の発信者情報とを比較して一致する情報を検索する。この際、ＣＰＵ１５は、検索した情報に着信拒否が設定されているかをステップＳ４により確認する。そして、発信者情報に着信拒否が設定されていない場合、ＣＰＵ１５は出力部２６（図１参照）に着信音を出力して着信状態を知らせるとともに、コントロール部２４の表示部２４ｂに発信者情報を表示するステップＳ５を実行する。また、ステップＳ４において発信者情報に着信拒否が設定されている場合、ＣＰＵ１５は出力部２６に着信音を出力せず、コントロール部２４の表示部２４ｂに着信拒否の対象であることを表示するステップＳ６を実行する。
【００２２】
ここで、ステップＳ５による発信者情報の表示は、図５に示すように、表示部２４ｂに発信者の名前、電話番号などの発信者情報を表示し、着信状態にあることを知らせる。また、ステップＳ６による着信拒否の表示は、図６（ａ）に示すように表示部２４ｂに発信者の名前、電話番号などの発信者情報と所定のマークＡとによる表示、または図６（ｂ）に示すように表示部２４ｂに発信者情報を白黒反転表示（例えば、着信拒否設定がない場合はポジ表示、着信拒否設定がある場合はネガ表示）のいずれかにより表示状態を切り替えて直観的に着信状態を知らせる。
【００２３】
一方、使用者が図４に示したステップＳ１の待受け状態から、例えば、図２に示した記録媒体１９の音楽情報を出力部２６（図１参照）に出力する場合、コントロール部２４の操作ボタン２４ａを操作して本体１０内のオーディオ部１８を動作させる。この際、ＣＰＵ１５は、オーディオ部１８（図２参照）が動作状態にあることを確認するステップＳ２を実行するとともに、出力部２６に音楽情報を出力してコントロール部２４の表示部２４ｂに曲名、曲番（図示せず）などの動作状況を表示するステップＳ７を実行する。そして、このように本体１０内で音楽情報の再生中に着信があった場合、無線部１６で受信された着信情報（電話番号等）を確認するステップＳ８を実行する。その後、ＣＰＵ１５は、着信情報に基づいて電話番号検出部１７により電話番号を検出し、この電話番号と記録手段１９の発信者情報とを比較して一致する情報を検索する。この際、ＣＰＵ１５は、検索された情報に着信拒否が設定されているかを確認するステップＳ９を実行する。
【００２４】
そして、発信者情報に着信拒否が設定されていない場合、ＣＰＵ１５は出力部２６に出力した音楽情報を発信者との通話状態に切り替えると同時に着信音を出力して、コントロール部２４の表示部２４ｂに発信者情報を表示するステップＳ１０を実行する。また、発信者情報に着信拒否が設定されている場合、ＣＰＵ１５は出力部２６に出力する音楽情報の再生を止めず、コントロール部２４の表示部２４ｂに着信拒否の対象であることを表示するステップＳ１１を実行する。従って、本体１０は、次世代用に開発された本体（例えば、ＩＭＴ２０００の世界統一標準によるＷ−ＣＤＭＡ（Ｗｉｄｅ  Ｂａｎｄ  ＣＤＭＡ）等の本体）のように、ＣＰＵ１５の処理能力の高いものを用いており、ＣＰＵ１５の制御により音楽情報と通信情報とを同時に処理可能できるように形成している。
【００２５】
また、ステップＳ１０による発信者情報の表示は、ステップＳ５の図５に示した発信者情報の表示と同じように表示される。さらに、ステップＳ１１による着信拒否の表示は、ステップＳ６の図６に示した着信拒否の表示と同じように表示され直観的に着信状態を知らせる。これにより使用者は、図７に示すように、着信時にコントロール部２４の表示部２４ｂで発信者の情報を図５及び図６に示した表示のように確認でき、その後、コントロール部２４の操作ボタン２４ａ（図１参照）を操作することで出力部２６とマイク２４ｃとによる通話、または切断のいずれかを選択的に実行することができる。
【００２６】
このように本発明による移動体電話機及びそれに用いる音声入出力装置の実施の形態によると、移動体電話機の本体１０をカバンやポケットなどに入れて音楽再生中または待受け中に着信があった場合、コントロール部２４の表示部２４ｂにより発信者の情報を容易に確認することができるため、図１１に示した従来技術のように、わざわざカバンやポケットなどから取り出す必要がなく、十分にハンズフリー機能として活用することが可能になる。
また、本発明による移動体電話機及びそれに用いる音声入出力装置の実施の形態によると、着信拒否の識別設定した相手から着信があった場合、図６に示したように表示部２４ｂの表示状態を切り替えることで直観的に着信状態を知らせるため、使用者は着信拒否の相手であることを容易に確認でき、出たくない相手との通話を確実に防止することができる。
さらに、本発明による移動体電話機及びそれに用いる音声入出力装置の実施の形態によると、本体１０内で音楽情報と通信情報とを同時に処理できるため、音楽の再生中に着信拒否の相手から着信があった場合、音楽情報の再生を中断することなく図６に示したように表示部２４ｂで着信拒否の表示を実行でき、使用者に不快感を与えることを防止することができる。
【００２７】
ここで、本発明による移動体電話機及びそれに用いる音声入出力装置の実施の形態では、図６に示したように、液晶からなる表示部２４ｂの表示状態を変えることで着信拒否の表示を行ったが、これに限定されるものではなく、例えば、表示部をＬＥＤなどの発光素子により点灯と非点灯または点滅と非点滅のいずれかを行って表示状態を変えてもよい。図８は、このように発光素子により点滅させる図２に示した表示部の他の実施の形態を示すブロック図である。
【００２８】
図８に示すように、表示部の他の実施の形態は、図２に示した表示部とは異なり、液晶からなる表示部２５ｂを有し、この表示部２５ｂの周囲に少なくとも１つ以上（図８では２つ）の発光素子２５ｄ（ＬＥＤ）を備えている。ここで、発光素子２５ｄは、複数設けてお互いに異なる色にすることで、例えば、着信拒否（ブラックリスト）または会社・友人（ホワイトリスト）などの表示において色を変えて表示できるように配置することも可能である。
【００２９】
この発光素子２５ｄは、図８に示したように、一端側に所定の電圧（＋Ｖ）を加え、他端側にトランジスタ２５ｅを接続して前述した色を変えて表示できるようにスイッチの役割をするように形成している。そして、トランジスタ２５ｅは、本体１０のＣＰＵ１５に接続されて制御される。ここで、本体１０は、図２に示した本体と同じ構成要素であり、同一の構成要素には同じ符号を記載するとともに、重複する説明は省略する。
【００３０】
このように形成された本発明による表示部の他の実施の形態は、例えば、図６に示した着信拒否の表示を行う場合に表示部２５ｂを赤色の発光素子２５ｄにより点灯させ、また、会社・友人（ホワイトリスト）からの着信の場合に青色の発光素子２５ｄにより点灯させることで、図６に示した表示部の表示に比べてより直観的な表示を行えるように形成している。
【００３１】
従って、このような本発明による表示部の他の実施の形態によると、着信拒否（ブラックリスト）または会社・友人（ホワイトリスト）などを表示する際に表示状態を変えて表示することができるため、図２に示した表示部と同様の効果を得ることができるとともに、表示部２５ｂを発光素子２５ｄにより点滅させ、且つ、異なる色の発光素子２５ｄを用いることで図２に示した表示部に比べてより効果的に直観的な表示を得ることができる。
【００３２】
以上、本発明による移動体電話機及びそれに用いる音声入出力装置の実施の形態を詳細に説明したが、本発明は前述した実施の形態に限定されるものではなく、その要旨を逸脱しない範囲で変更可能である。
例えば、音声入出力装置の出力部をヘッドホン状に形成した実施の形態を説明したが、これに限定されるものではなく、イヤホン形状に形成することも可能である。
また、図５及び図６に示した表示部に発信者名と電話番号とを両方表示した実施の形態を説明したが、これに限定されるものではなく、例えば、発信者名または電話番号のいずれか一方のみの表示でもよい。
【００３３】
【発明の効果】
このように本発明による移動体電話機及びそれに用いる音声入出力装置の実施の形態によれば、移動体電話機の本体をカバンやポケットなどに入れて音楽再生中または待受け中に着信があった場合、コントロール部の表示部に発信者の情報を表示して容易に確認できるため、本体をわざわざカバンやポケットなどから取り出して確認する必要がなく、十分にハンズフリー機能として活用することが可能になる。
また、本発明による移動体電話機及びそれに用いる音声入出力装置の実施の形態によれば、着信拒否の識別設定した相手から着信があった場合、表示部の表示状態を切り替えて直観的に着信状態を知らせるため、使用者は着信拒否の相手であることを容易に確認でき、出たくない相手との通話を確実に防止することができる。
さらに、本発明による移動体電話機及びそれに用いる音声入出力装置の実施の形態によれば、本体内で音楽情報と通信情報とを同時に処理できるため、音楽の再生中に着信拒否の相手から着信があった場合、音楽情報の再生を中断することなく表示部での着信拒否の表示を行え、使用者に再生中断による不快感を与えることを防止することができる。
【図面の簡単な説明】
【図１】本発明による移動体電話機及びそれに用いる音声入出力装置の実施の形態を示す構成図。
【図２】図１に示した移動体電話機の本体及び音声入出力装置の内部構造を示すブロック図。
【図３】図１に示した表示部における待受け時の表示状態を示す図。
【図４】図１に示した移動体電話機の本体及び音声入出力装置の動作を示すフロー図。
【図５】図１に示した表示部における着信時の表示状態を示す図。
【図６】図５に示した表示部に着信拒否した相手の着信時に発信者情報を表示した状態を示す図。
【図７】図５及び６に示した表示部に表示する発信者情報を使用者が確認している状態を示す図。
【図８】図２に示した表示部の他の実施の形態を示すブロック図。
【図９】従来の移動体電話機及びそれに用いる音声入出力装置を示す構成図。
【図１０】図９に示した音声入出力装置により通話している状態を示す図。
【図１１】図９に示した音声入出力装置を用いた際に着信情報を確認する状態を示す図。
【図１２】図９に示した移動体電話機に着信拒否の相手から着信があった場合の状態を示す図。
【符号の説明】
１０    本体
１１    操作ボタン
１２    表示部
１３    スピーカ
１４    マイク
１５    ＣＰＵ
１６    無線部
１７    電話番号検出部
１８    オーディオ部
１８ａ  記録媒体
１９    記録手段
２０    音声入出力装置
２１ａ、ｂ  コード
２２    プラグ
２４    コントロール部
２４ａ  操作ボタン
２４ｂ  表示部
２４ｃ  マイク
２６    出力部
【図１】
0004183898.tif 000002
【図２】
0004183898.tif 000003
【図３】
0004183898.tif 000004
【図４】
0004183898.tif 000005
【図５】
0004183898.tif 000006
【図６】
0004183898.tif 000007
【図７】
0004183898.tif 000008
【図８】
0004183898.tif 000009
【図９】
0004183898.tif 000010
【図１０】
0004183898.tif 000011
【図１１】
0004183898.tif 000012
【図１２】
0004183898.tif 000013